(57)【特許請求の範囲】
【請求項１】
名字を構成する漢字からなる表として、名字の最後に使用される漢字を「あ行〜わ行」×「あ列〜お列」に縦横配列してなる表のみを有することを特徴とする人名想起具。
【発明の詳細な説明】
【０００１】
【発明の属する技術分野】
本発明は、記憶の薄れてしまった人名を想起する（思い出す）のに極めて便利な人名想起具に関する。
【０００２】
【従来の技術、及び発明が解決しようとする課題】
誰にでも、以前会ったことのある人と偶然に出会って、その人の名前をすぐに思い出せなかった、といったような経験をしたことは少なくないはず。そんな時は、「あの人の名前何だっけ・・・」と悩み始める度に、「会田・相原・相川・・・、飯田・飯坂・井上・・・、渡辺・和田・・・」と五十音順に色々な名前を思い浮かべてみるが、思い出すまでに相当な時間がかかったり、或いは結局思い出せず仕舞いのこともあったりする。
【０００３】
特に、人と出会う機会の多いセールスマンやビジネスマン等にとって、人の名前を正確に記憶し、それをすぐに思い出せるということは、仕事に必要とされる大事な能力の１つでもあるため、人名を忘れやすいタイプの人であれば、そのこと自体が重大な悩みの種でもある。
【０００４】
本発明は、上記従来の問題点に鑑みなされたものであり、その課題は、忘れてしまった人名（特に名字）を容易に思い出すことのできる人名想起具を提供することにある。
【０００５】
【課題を解決するための手段】
本発明は、上記課題を解決するために、以下のように構成する。
すなわち、本発明は、名字を構成する漢字からなる表として、名字の最後に使用される漢字を「あ行〜わ行」×「あ列〜お列」に縦横配列してなる表のみを有することを特徴とする人名想起具である。
【０００６】
本発明の発明者は、名字の最初に使用される漢字は旧字体をも含めると膨大な数にのぼるものの、名字の最後に使用される漢字は或る程度の数に絞られてくるという点に気づき、この点に新たに着目することで、名字の最後に使用される漢字を多数配列してなる表を作成してみた。そして、人名を思い出せない時に上記の表を眺めると、なぜか簡単かつスピーディに、目的の人名を思い出せることがわかった。これは、人名を構成する漢字の多数配列された表を見ることで、脳内での記憶想起能力（記憶呼び起こし能力）が視覚の補助で活性化され、すなわち、表中に存在する漢字（一種の視覚的イメージ）が引き金となって、脳の奥にイメージとしてファイルされていた人名が顕在意識上に呼び起こされるためであると考えられる。本発明の発明者の経験では、例えば図１に示された表を眺めることで、１００人中９９人以上の名前を、比較的簡単かつスピーディに思い出すことが可能になった。思考を働かせる際に視覚（視覚的イメージ）の補助を得るタイプの人間には、本発明を利用することで、特に顕著な効果が発揮されるものと予測される。
【０００７】
なお、本発明の人名想起具は、例えば厚紙でできた四角形の平板状カードの表面に上記の表（すなわち、名字の最後に使用される漢字を多数配列してなる表）を印刷したものであることが望ましいが、このような形態に限定されるものではない。例えば、円形状や多角形状のカードの表面に上記の表を印刷したものや、包装紙の表面に上記の表を印刷したもの、フィルム状の貼着シールの表面に上記の表を印刷して、どこにでも貼着可能にしたもの、鉛筆や箱のような立体物の外表面に上記の表を印刷したもの等であってもよい。
【０００８】
或いは、携帯電話や電子腕時計等のディスプレー付き電子機器の内蔵メモリに上記の表を記憶させておき、必要に応じてその表の一部又は全部をディスプレー上に表示させるようにしたものも、本発明の範囲内である。
また、上記の表における漢字の配列形態は、その表を配置する物体（上記のカードやシール等）の形状等に応じて適宜設定されるものであって、特定の配列形態に限定されるものではない。例えば、上述したような四角形の平板状カードの表面に表を配置するような場合であれば、例えば図１に示すように、漢字を「あ行〜わ行」×「あ列〜お列」に縦横配列し、それぞれのグループを縦と横の枠で仕切るように配置することが望ましい。勿論、これは望ましい一例であって、これに限定されることはない。表のサイズ・形状や漢字のサイズ・字体・色・数等も、その見やすさや実用性等を考慮して、適宜選択される。
【０００９】
また、表中に配列される漢字には、名字の最初や途中に使用される漢字が混じっていてもよく、このようなものも本発明の範囲内である。
【００１０】
【発明の実施の形態】
以下、本発明の実施の形態について、図面を参照しながら詳細に説明する。
＜本発明の一実施の形態＞
図１は、本発明の一実施の形態に係る人名想起具１の平面図である。
【００１１】
同図に示すように、人名想起具１は、邪魔にならずに携帯できる程度のサイズ（例えばＡ５版サイズ、ハガキサイズ、名刺サイズ等）の厚紙でできたカード２の表面に、名字の最後に使用される漢字を縦横に多数配列してなる表３を印刷したものである。
【００１２】
なお、カード２の上部余白には、表３の使用目的を一言で言い表したようなユニークなタイトル「お名前、思い出しま表」も印刷されている。
表３は、名字の最後に使用される漢字を、名刺、名簿、電話帳、人名辞典等から５００個程度抜き出し、それらを「あ行〜わ行」×「あ列〜お列」に縦横に配列し、それぞれの漢字グループを縦と横の枠（罫線）で仕切るように配置したものである。例えば、「あ行・あ列」の漢字グループは「合」、「会」、「相」、「網」、「浅」、「秋」、「荒」から構成されており、「た行・い列」の漢字グループは「地」、「池」、「知」、「智」、「治」、「近」、「着」から構成されている。なお、濁音のついた「が行」、「ざ行」等に属する漢字は、それぞれ「か行」、「さ行」等に含まれている。勿論、表３中には、必要に応じて、名字の最初や途中に使用される漢字が含まれていてもよい。表３に含まれる漢字だけで、ほぼ１万人又はそれ以上の数の人名に対応することができる。
【００１３】
また、図１には明示されていないが、表３中の漢字は、名字の最後に使用される頻度の高いものを例えば赤色に、その他を黒色に、２色で色分けしてある。その他にも、使用頻度が高い順に、例えば赤色、青色、黒色等のように３色以上で色分けしてもよい。
【００１４】
このような構成からなる人名想起具１は、例えばセールスマンやビジネスマンであれば、鞄や胸ポケットの中に常時携帯しておくようにする。そして、もしたまたま出会った人の名前をすぐに思い出せないような場合には、その携帯している人名想起具１をさり気なく取り出して、表３を見る。表３の見方は、各人各様だが、例えばアイウエオ順に１字１字見ていってもよく、各行毎に横方向にさっと視線を走らせるようにしてもく、表３の全体又は各枠で仕切られた漢字グループの全体を一度にぱっと視野に入れるように見てもよく、要するに、使用者本人に最も適した方法を採用すればよい。
【００１５】
すると、表３を見ることにより、目を介して脳へと入力された漢字（視覚的イメージ情報）が引き金となって、上述したような脳内での記憶想起能力（記憶呼び起こし能力）が活性化され、不思議と、目的の人名が顕在意識上にフッと浮かんでくるといった現象が起こる。その結果、「あの人の名前何だっけ・・・」と思い悩むことなく、目的の人名を簡単かつスピーディに思い出すことができる。
【００１６】
しかも、本実施の形態に係る人名想起具１は、多数の漢字が「行」×「列」に整然と配列されており、かつ、名字の最後に使用される頻度の高い漢字が目立つように色分けしてあるため、脳の記憶想起能力の活性化が一層顕著になり、より素早い人名想起が可能になる。また、このように色分けしてある場合には、まず最初に、目立つ色の漢字だけを見ていき、それでも名前を思い出せない時だけ、他の色の漢字を見ていくようにすることで、より効率的な使い方が可能になる。
＜その他の実施の形態＞
本発明は、上記実施の形態に限定されるものではなく、請求項１に記載した範囲内において、種々の構成を採用可能である。例えば、以下のような構成変更も可能である。
【００１７】
（１）図１に示した人名想起具１は四角形のカード２を使用しているが、カード２の形状としては、円形、多角形等、様々なものを採用可能である。その場合、その形状に合わせて、表３の形態（漢字の配列形態）を適宜変更すればよい。また、そのサイズも、邪魔にならずに携帯できる程度のサイズ（例えば、Ａ５版サイズ、ハガキサイズ、名刺サイズ等）が最も望ましいが、それに限定されるものでもない。この場合、漢字の数や見やすさも考慮される必要がある。
【００１８】
（２）表３を配置する物体は、必ずしもカード状のものである必要はない。例えば、平面状のカード２の代わりに、ノートや手帳の裏表紙や、鉛筆や箱のような立体状のものの表面に漢字の表を配置したものであってもよい。或いは、フィルム状の貼着シールの表面に表３を印刷して、どこにでも貼着可能にしたものや、包装紙の表面に表（漢字の配列）をデザインとして印刷したもの等であってもよい。
【００１９】
（３）上記の実施の形態では、表３において、名字の最後に使用される頻度の高い漢字を例えば赤色等の目立つ色にしたが、このように漢字の色分けを行う代わりに、例えば字体やサイズを変えたり、太字にしたり、或いはアンダーラインを付けたりすること等でも、特定の漢字だけを目立たせることができる。
【００２０】
（４）本発明の人名想起具は、携帯電話や電子腕時計等のディスプレー付き電子機器によって実現することもできる。すなわち、そのような電子機器の内蔵メモリに、表３に相当する漢字の配列を記憶させておき、使用者によるボタン操作等に応じて、その漢字配列の一部又は全部をディスプレー上に表示させるようにすればよい。本発明の範囲は、そのような漢字配列をデータベースとして記憶したコンピュータ読み取り可能な記録媒体にも及ぶ。
【００２１】
【発明の効果】
本発明の人名想起具を使用すれば、なかなか思い出せない名前であっても、さっと表に目を通すだけで、脳内での記憶想起能力（記憶呼び起こし能力）が活性化され、目的の名前を極めて簡単かつスピーディに思い出すことができる。
【００２２】
このような顕著な効果を奏する本発明の人名想起具は、人名記憶に自信のないセールスマンやビジネスマン等にとって、その短所を見事に補ってくれる便利ツールとなりうる。
【図面の簡単な説明】
【図１】本発明の一実施の形態に係る人名想起具１の平面図である。
【符号の説明】
１  人名想起具
２  カード
３  表
【図１】
0003673220.tif 000002